(57)【要約】      （修正有）【課題】携帯電話型端末装置を用いて無線通信にて制御盤と通信を行い保守作業を行う場合も顧客に誤解を与えることの少ないエレベータの保守装置を提供する。【解決手段】乗かごの昇降を制御する制御盤もしくはこの制御盤と通信線を介して接続され乗場に設けられた通信インターフェイス５との間で無線通信を行う携帯電話型端末装置７を有してなるエレベータの保守装置において、前記携帯電話型端末装置７と前記通信インターフェイス５近傍に位置する乗場との間を連結する通信を行わないダミーケーブル１５を設けたことを特徴とする。ダミーケーブル１５を設けたため、顧客はエレベータの保守作業を行っていることを理解できるため、無線通信で携帯電話型端末装置７を用いて保守作業行う場合も顧客に誤解を与えることを回避できる。【選択図】図２
2006213424.tif 000002
【特許請求の範囲】
【請求項１】
乗かごの昇降を制御する制御盤もしくはこの制御盤と通信線を介して接続され乗場に設けられた通信インターフェイスとの間で無線通信を行う携帯電話型端末装置を有してなるエレベータの保守装置において、
前記携帯電話型端末装置と前記通信インターフェイス近傍に位置する乗場との間を連結する通信を行わないダミーケーブルを設けたことを特徴とするエレベータの保守装置。
【請求項２】
請求項１に記載のエレベータの保守装置において、前記ダミーケーブルは、その一端側に前記携帯電話型端末装置の端末接続部に接続されるケーブル接続部を設けるとともに、その他端側には前記通信インターフェイス近傍に位置する乗場に設けられた乗場接続部に磁力にて取付けられる磁石ケーブル接続部を設けたことを特徴するエレベータの保守装置。
【発明の詳細な説明】
【技術分野】
【０００１】
本発明は、エレベータの保守装置に関する。
【背景技術】
【０００２】
近年、エレベータの保守作業時には、乗かごの昇降などエレベータ全体の制御を行う制御盤と保守用の端末装置との間で通信を行い、種々の保守点検作業を行うことが一般的となってきている。
【０００３】
そしてその一例としては、携帯電話型端末装置を用いて制御盤との間で通信を行い保守作業を行うものが提案されていた（特許文献１参照）。
【特許文献１】特開２００３−３０６２７７公報（図６，７）
【発明の開示】
【発明が解決しようとする課題】
【０００４】
しかし、前記特許文献１に記載の従来技術によれば、携帯電話型端末装置と乗場に設けられたコネクタボックスとをケーブルで接続して制御盤と通信を行い保守作業を行う図６のような場合は問題ないが、図７のように無線通信にて制御盤と通信を行う場合は、携帯電話型端末装置を用いて保守作業を行っているのか、保守作業と関係ないことを行っているのか区別がつかず、顧客に誤解を与える恐れが有った。
【０００５】
本発明は、この不都合を鑑みてなされたもので、その目的は、携帯電話型端末装置を用いて無線通信にて制御盤と通信を行い保守作業を行う場合も顧客に誤解を与えることの少ないエレベータの保守装置を提供するにある。
【課題を解決するための手段】
【０００６】
本発明は、上記目的を達成するために、乗かごの昇降を制御する制御盤もしくはこの制御盤と通信線を介して接続され乗場に設けられた通信インターフェイスとの間で無線通信を行う携帯電話型端末装置を有してなるエレベータの保守装置において、前記携帯電話型端末装置と前記通信インターフェイス近傍に位置する乗場との間を連結する通信を行わないダミーケーブルを設けたことを特徴とする。
【０００７】
本発明によれば、上記の通り、ダミーケーブルを設けたため、顧客はエレベータの保守作業を行っていることを理解できるため、無線通信で携帯電話型端末装置を用いて保守作業を行う場合も顧客に誤解を与えることを回避できる。
【０００８】
また本発明によれば、前記ダミーケーブルは、その一端側に前記携帯電話型端末装置の端末接続部に接続されるケーブル接続部を設けるとともに、その他端側には前記通信インターフェイス近傍に位置する乗場に設けられた乗場接続部に磁力にて取付けられる磁石ケーブル接続部を設けたことを特徴とする。
【０００９】
本発明によれば、ダミーケーブルの他端側に、乗場接続部に磁力にて取付けられる磁石ケーブル接続部を設けたため、乗場接続部は磁性体で有るだけでよく、簡易な形状で安価に製作できるとともに、その脱着の取扱い方法も容易なものとすることができる。
【発明の効果】
【００１０】
本発明の保守装置は、携帯電話型端末装置を用いて無線通信にて制御盤と通信を行い保守作業を行う場合も顧客に誤解を与えることを回避することができる。
【発明を実施するための最良の形態】
【００１１】
以下、図面を参照して本発明の実施形態を説明する。
【００１２】
図１は、本発明に係るエレベータの保守装置の構成を示す図であり、図中の１は昇降路、２は乗かご、３はエレベータの制御盤を示している。
【００１３】
機械室レス型のエレベータでは、制御盤３が昇降路１内に設置されている。なお、この制御盤３の設置場所としては、昇降路１内のピット以外の場所、通常、最下階着床レベルやや上の場所としている。これは、ピットに制御盤３を設置すると、洪水などが発生した場合に制御盤３に水が浸水して故障してしまう可能性があるためである。
【００１４】
エレベータが停止する各階乗り場には、ＩＮＤボックス４が設置されている。このＩＮＤボックス４には図示せぬ乗かごの呼び釦、かご位置表示部が設置されている。
【００１５】
この通信インターフェイス５は通信線６を介して制御盤３に接続されている。
【００１６】
本発明である携帯電話型端末装置７は、エレベータの保守に必要な機能を備えた保守用ツールである。制御盤３との通信はＩＮＤボックス４ａに設置された通信インターフェイス５を介して無線通信にて行う。
【００１７】
携帯電話型端末装置７と乗場に設けられたＩＮＤボックス４ａとの間をダミーケーブル１５で接続する際の詳細説明を図２を用いて行う。図２は、その接続方法を示した図であり、図中の４ａは最下階ＩＮＤボックス、５は通信インターフェイス、１８は壁を示している。
【００１８】
携帯電話型端末装置７と通信インターフェイス５間の通信は、無線通信にて行われる。
【００１９】
ダミーケーブル１５は、その一端側に設けたケーブル接続部１６を携帯電話型端末装置７の端末接続部１９に、その他端側に設けた磁石ケーブル接続部１７を通信インターフェイス５近傍の乗場接続部８に接続する構成とした。
【００２０】
また、ダミーケーブルの他端側に、乗場接続部８に磁力にて取付けられる磁石ケーブル接続部１７を設けたため、乗場接続部８は磁性体であるだけでよく、簡易な形状で安価に製作できるとともに、その脱着の取扱い方法も容易なものとすることができる。
【００２１】
最後に本発明の保守装置を用いた保守作業法について説明する。
【００２２】
図３はエレベータホール（乗場）にて保守作業を行う場合の概念図であり、図中の９はエレベータ乗場、１０は保守員、１１はホールドア、１２はホールドアを囲む三方枠、１３はホールボタン（かご呼びボタン）を示している。
【００２３】
図３に示す構成において、保守員１０がエレベータの保守作業を行う場合には、まず、最下階の乗り場９に行き、ホールボタン１３が設けられた操作パネル１４を取り外して、制御盤３と通信を行うために通信インターフェイス５を接続する。
【００２４】
次にダミーケーブル１５を通信インターフェイス５近傍と携帯電話型端末装置７に接続し、携帯電話型端末装置７に設けられた各種操作により、通信インターフェイス５を介して制御盤３を遠隔的に操作し、表示画面でエレベータの走行時間、エレベータの運転状態などを確認しながら保守作業を行う。
【００２５】
本発明によれば、上記の通りダミーケーブル１５を設けたため、作業点が携帯電話型端末装置７を用いて無線通信にて保守作業を行っている場合でも、顧客はその状況を理解することができ、怠慢な作業をしている等の誤解を未然に防止できる。
【図面の簡単な説明】
【００２６】
【図１】本発明に係るエレベータの保守装置の構成を示す昇降路縦断面図。
【図２】本発明に係るエレベータの保守装置の要部拡大図。
【図３】本発明に係るエレベータ保守装置を用いた保守作業の作業状態を示す乗場正面図。
【符号の説明】
【００２７】
２  乗かご
３  制御盤
５  通信インターフェイス
６  通信線
７  携帯電話型端末装置
８  乗場接続部
９  乗場
１５  ダミーケーブル
１６  ケーブル接続部
１７  磁石ケーブル接続部
１９  携帯電話型端末装置の端末接続部
２０  乗場接続部
【図１】
2006213424.tif 000003
【図２】
2006213424.tif 000004
【図３】
2006213424.tif 000005